(57)【特許請求の範囲】
【請求項１】
吹出口からの風向きを変化させる揺動フィンを備えるスイングレジスタ装置において、
翼状断面を有し、翼前縁寄りにおいて前記吹出口を形成するリテーナに揺動可能に枢着された複数の揺動フィンと、
前記複数の揺動フィンを所定方向に付勢するために、前記揺動フィンの枢軸に巻装された第一の弾性手段と、
前記揺動フィンの翼後縁側と前記リテーナとに係着され、前記揺動フィンに対して前記第一の弾性手段と同一方向に付勢する第二の弾性手段とを備え、
前記複数の揺動フィンは、前記リテーナから吹き出す風量に応じて、前記第一及び第二の弾性手段の付勢方向とは逆方向に一斉に揺動し、吹き出す風向きを変化させることを特徴とするスイングレジスタ装置。
【発明の詳細な説明】
【技術分野】
【０００１】
本発明はスイングレジスタ装置に関し、特に吹出口からの風向きを変化させる揺動フィンを備えるスイングレジスタ装置に関する。
【背景技術】
【０００２】
従来技術として、モータを使用して揺動フィンを駆動することにより吹出口からの風向きを変化させるスイングレジスタ装置が知られている（例えば、特許文献１，特許文献２等参照）。
【特許文献１】特開２００１−３０７５０号公報
【特許文献２】特開２００２−２１１２３２号公報
【発明の開示】
【発明が解決しようとする課題】
【０００３】
上述した従来技術では、モータを使用しているので、風量に関係なく強制的に吹出口からの風向きを変化させることが可能であるが、モータを搭載するスペースが必要であり、小型な空調システムには向かないという問題点があった。
【０００４】
また、モータやそれに関連する機構を構成する部品費が発生するため、例えば、製品に搭載しようとすると、上位機種に搭載される傾向が強くなり、小型機種や低価格機種には搭載が見送られてしまうという問題点があった。
【０００５】
本発明の目的は、上述の点に鑑み、風量により変化する吹出口の空気圧変化を利用して風向きを変化させるようにしたスイングレジスタ装置を提供することにある。
【課題を解決するための手段及び発明の効果】
【０００６】
本発明のスイングレジスタ装置は、吹出口からの風向きを変化させる揺動フィンを備えるスイングレジスタ装置において、翼状断面を有し、翼前縁寄りにおいて前記吹出口を形成するリテーナに揺動可能に枢着された複数の揺動フィンと、前記複数の揺動フィンを所定方向に付勢するために、前記揺動フィンの枢軸に巻装された第一の弾性手段と、前記揺動フィンの翼後縁側と前記リテーナとに係着され、前記揺動フィンに対して前記第一の弾性手段と同一方向に付勢する第二の弾性手段とを備え、前記複数の揺動フィンは、前記リテーナから吹き出す風量に応じて、前記第一及び第二の弾性手段の付勢方向とは逆方向に一斉に揺動し、吹き出す風向きを変化させることを特徴とする。このようなスイングレジスタ装置によれば、従来のスイングレジスタ装置はモータの力を利用して吹出口からの風向きを変化させていたが、揺動フィンを弾性手段により一方向へ引っ張り、風量に応じて変化する空気圧の力（揚力）を利用して風向きを変化させるようにしたので、電気を使用せずに簡易的にスイングレジスタ装置を実現（製作）することができる。
【０００７】
また、上記したスイングレジスタ装置によれば、複数枚の揺動フィンであっても、相互の連携機構を設けることなしに、１枚の揺動フィンと同様にスイングさせることができる。
【発明を実施するための最良の形態】
【０００８】
モータを使用せずに吹出口からの風向きを変化させるという目的を、揺動フィンの形状を揚力が働きやすい形とし、風量の変化に応じて作用する揚力によって吹出口からの風向きを変化させることにより達成した。
【実施例１】
【０００９】
以下、本発明の実施例１に係るスイングレジスタ装置について説明する。
【００１０】
図１は、本発明の実施例１に係るスイングレジスタ装置１の要部平面図である。本実施例１に係るスイングレジスタ装置１は、吹出口を形成するリテーナ２と、複数枚（図示は３枚）の揺動フィン３と、揺動フィン３の枢軸３ａに巻装されたコイルバネ４と、揺動フィン３の自由端に一端が係着された緊縮性のコイルバネ５とから、その主要部が構成されている。
【００１１】
リテーナ２は、前後壁（図１で見て上下壁）が取り除かれた四角枠体でなり、後方（図１で見て上方）から送られてくる空気を前方（図１で見て下方）に吹き出すための吹出口（図示せず）を形成している。リテーナ２の底面壁および天井壁には、揺動フィン３の上下の枢軸３ａを嵌合する軸孔（図示せず）が複数対穿設されている。
【００１２】
揺動フィン３は、図２に示すように、例えばカルマン・トレフツ翼等の翼状断面を有する板状部材でなり、翼前縁を後方とし、翼後縁を前方とし、膨出する翼表面を右側面とするように、揺動自在に配設されている。揺動フィン３の上下端面の翼前縁寄りには、枢軸３ａが一体的に突設されている。このため、図２に示すように、揺動フィン３に対して翼前縁側から翼後縁側に向かって空気が流れると、揺動フィン３は揚力ｆ１を受けて枢軸３ａを中心として反時計方向（図２で見て）に回転する力を与えられる。なお、図２中、一点鎖線は翼弦を、二点差線は反り曲線を示す。
【００１３】
第一の弾性手段としてのコイルバネ４は、揺動フィン３の枢軸３ａに巻装され、第二の弾性手段としてのコイルバネ５は、一端が揺動フィン３の翼後縁側に、他端がリテーナ２に係着されている。コイルバネ４および５は、いずれも揺動フィン３を枢軸３ａを中心として時計回りに付勢する付勢力ｆ２を与えており、付勢力ｆ２による揺動フィン３の時計方向への回転はピン６に当接することによって所定の右旋回位置以上には回転しないように規制されている。コイルバネ４および５は、揺動フィン３に同一方向への付勢力ｆ２を与えているので、いずれか一方だけを設けるようにしてもよい。
【００１４】
次に、このように構成された実施例１に係るスイングレジスタ装置の動作について、図１ないし図３を参照しながら説明する。
【００１５】
まず、ブロワ（図示せず）の風量（ブロワ風量）が無風時および小レベル時には、図３（ａ）に示すように、揺動フィン３は、コイルバネ４および５の弾性による付勢力ｆ２により枢軸３ａを中心として時計方向に回転しようとしているが、ピン６に当接することによって所定の右旋回位置で停止している。
【００１６】
次に、ブロワ風量が中レベルになると、図３（ｂ）に示すように、空気の流れによる揚力ｆ１が発生し、揺動フィン３は、空気の流れによる揚力ｆ１とコイルバネ４および５の弾性による付勢力ｆ２とが釣り合う位置まで枢軸３ａを中心として反時計方向に揺動して静止する。しかし、この静止位置は、空気の風量に応じて微妙に変化することになる。
【００１７】
続いて、ブロワ風量が大レベルになると、図３（ｃ）に示すように、空気の流れによる揚力ｆ１が大きくなり、揺動フィン３は、空気の流れによる揚力ｆ１とコイルバネ４および５の弾性による付勢力ｆ２とが釣り合う左旋回位置まで枢軸３ａを中心として揺動して静止する。しかし、この左旋回位置も、ブロワ風量に応じて微妙に変化することになる。
【００１８】
図４は、実施例１に係るスイングレジスタ装置１を車両４０に適用した例を示す図である。特に、車両４０のインスツルメントパネル４１の中央部，および左右端部に、実施例１に係るスイングレジスタ装置１を配設するようにしたものである。
【００１９】
このように配設されたスイングレジスタ装置１によれば、車室内を急冷する時には、風量を大レベルとすることにより、運転席側から冷やすことができる。そして、ある程度運転席側が冷えてくると、ブロワ風量のレベルを小さくすることにより運転席以外を冷やすことができる。
【００２０】
また、ブロワ風量のレベルを大→中→小→中→大→…と繰り返し変化させると、ブロワ風量に応じて揺動フィン３に働く揚力が変化するので、揺動フィン３の揺動位置が変化し、吹出口からの風向きをスイングさせることができる。
【００２１】
なお、図４では、実施例１に係るスイングレジスタ装置１を車両４０に適用した場合を例にとって説明したが、スイングレジスタ装置１が適用できる製品は車両４０に限られるものではなく、あらゆる流体の吹出口に適用可能である。
【００２２】
ところで、上記実施例１では、揺動フィン３が複数枚並置されて配設されている場合を例にとって説明したが、揺動フィン３は１枚であっても、本発明が同様に適用されることはいうまでもない。
【００２３】
また、揺動フィン３が垂直に配設されている場合を例にとって説明したが、揺動フィン３が水平に配設されている場合にも、本発明を適用することができる。ただし、この場合には、揺動フィン３の自重による枢軸３ａを中心とする回転力ｆ３が問題となる。したがって、自重による回転力ｆ３に打ち勝つだけの揚力ｆ１が得られるように、揺動フィン３の形状等に工夫をこらす必要がある。
【００２４】
以上、本発明の実施例を説明したが、これはあくまでも例示にすぎず、本発明はこれに限定されるものではなく、特許請求の範囲の趣旨を逸脱しない限りにおいて、当業者の知識に基づく種々の変更が可能である。
【図面の簡単な説明】
【００２５】
【図１】本発明の実施例１に係るスイングレジスタ装置の平面図。
【図２】図１中の揺動フィンが受ける力を説明する図。
【図３】（ａ）〜（ｃ）は本実施例１に係るスイングレジスタ装置の動作を説明する状態遷移図。
【図４】本実施例１に係るスイングレジスタ装置を車両に搭載した例を説明する図。
【符号の説明】
【００２６】
１  スイングレジスタ装置
２  リテーナ（吹出口）
３  揺動フィン
３ａ  枢軸
４  コイルバネ（弾性手段）
５  コイルバネ（弾性手段）
６  ピン
【図１】
0004600298.tif 000002
【図２】
0004600298.tif 000003
【図３】
0004600298.tif 000004
【図４】
0004600298.tif 000005